(57)【要約】  【課題】接着剤を使用することなくヨークとコイルボビンとが簡単に組み立てられるようにして、作業性並びに作業環境を向上させる。  【解決手段】ヨーク１１の第１脚部１１Ａ，１１Ｂの位置決め部１７がコイルボビン１３Ａ，１３Ｂの一端側と当接するまで、ヨーク１１をコイルボビン１３Ａ，１３Ｂの一端側からボビン穴２０内に挿入させると、該ボビン穴２０内で第１脚部１１Ａ，１１Ｂの係止部１８がコイルボビン１３Ａ，１３Ｂの突起１３ｅに係合され、ヨーク１１がコイルボビン１３Ａ，１３Ｂに対して前後方向に移動するのが規制されて、この規制でヨーク１１がコイルボビン１３Ａ，１３Ｂに取り付けられる構造にした。【選択図】図１
2006066766.tif 000002
【特許請求の範囲】
【請求項１】
中心に前後に貫通しているボビン穴を有して筒状に形成されていると共に、前記ボビン穴内に該ボビン穴の中心に向かって突出している突起を有し、且つ、外周にコイルが各々巻回されている一対のコイルボビンと、
前記突起を有した一端側から前記ボビン穴内にそれぞれ所定の位置まで挿入されて、該所定の位置で前記突起と係合して前記コイルボビンに対して抜け止めされている係止部を少なくとも一方に有する一対の第１脚部を設けた略コ字型のヨークと、
前記ヨークの一対の第１脚部の先端にＮ，Ｓ極を発生させている永久磁石と、
前記一対のコイルボビンの前記ボビン穴に他端側からそれぞれ第１脚部と当接するまで摺動自在に挿入されている一対の第２脚部を有した略コ字型の可動片、
とを備えたことを特徴とするプランジャ。
【請求項２】
上記一対のコイルボビンは、弾力性を有する樹脂材で一体に成形されていることを特徴とする請求項１記載のプランジャ。
【請求項３】
上記一対のコイルボビン間の連結部分は、互いに揺動可能に肉薄状に形成されていることを特徴とする請求項１又は２記載のプランジャ。
【請求項４】
上記ヨークは、上記所定の位置まで挿入されると、上記コイルボビンの一端側と当接されて位置決めされる位置決め部を有していることを特徴とする請求項１，２又は３記載のプランジャ。
【請求項５】
上記コイルボビンは、前後両端側にそれぞれ外方に向かって突出された鍔部を有し、一端側の鍔部に上記突起を設けたことを特徴とする請求項４記載のプランジャ。
【請求項６】
上記ヨークは、上記一対の脚部にそれぞれ設けた上記係止部を前記一対の脚部の相対向している内側面に有することを特徴とする請求項１，２，３，４又は５記載のプランジャ。
【請求項７】
上記ヨークは、上記一対の脚部にそれぞれ設けた上記係止部を前記一対の脚部の相対向している外側面に有することを特徴とする請求項１，２，３，４又は５記載のプランジャ。
【請求項８】
上記ヨークは、上記一対の脚部にそれぞれ設けた上記係止部を前記一対の脚部の同一方向を向いた一外側面に有することを特徴とする請求項１，２，３，４又は５記載のプランジャ。
【発明の詳細な説明】
【技術分野】
【０００１】
本発明は、小型プランジャに関するものであり、特に、例えばカメラの絞り制御やシャッター制御、オーディオ機器やビデオデッキにおけるテープ回転方向制御又はスタート・ストップ制御、或いは家庭電化製品その他の電源を要する機器に用いられ、コイルボビンにヨークの一部を挿通した構造を有する小型プランジャに関するものである。
【背景技術】
【０００２】
従来のプランジャとしては、例えば永久磁石の磁束でヨークに可動片を吸着させておき、パルス電流をコイルに流すことによりヨークに逆磁界を発生させ、そのヨークにおける吸着力を打ち消して該ヨークから吸着片を解放させる自己保持型ものがあり、例えば図１２に示すような構造が知られている。
【０００３】
図１２に示すプランジャ１００は、一対の第１脚部１０１Ａ，１０１Ｂと連結部１０１Ｃとを有して、鉄等の磁性材料で略コ字型に形成されたヨーク１０１と、該ヨーク１０１の一対の第１脚部１０１Ａ，１０１Ｂとの間の隙間で作られているスリット１０６内に装着されている永久磁石１０２と、筒状に形成された一対のコイルボビン１０３Ａ，１０３Ｂにそれぞれ巻線を巻き付けた状態で設置されているコイル１０４Ａ，１０４Ｂと、一対の第２の脚部１０５Ａ，１０５Ｂと連結部１０５Ｃとを有して、鉄等の磁性材料で略コ字型に形成された可動片１０５等を備えている。尚、図１３は、ヨーク１０１を単体で示す外観斜視図である。
【０００４】
そのヨーク１０１は、コイルボビン１０３Ａ，１０３Ｂのボビン穴１０３ａ，１０３ｂ内に、それぞれ樹脂等の接着剤を塗布した第１脚部１０１Ａ，１０１Ｂを一端側から略中間位置まで挿入させて、その接着剤でコイルボビン１０３Ａ，１０３Ｂに固定装着されている。一方、可動片１０５は、コイルボビン１０３Ａ，１０３Ｂのボビン穴１０３ａの他端側から、可動片１０５の各第２脚部１０５Ａ，１０５Ｂがそれぞれ各第１脚部１０１Ａ，１０１Ｂと当接するまで挿入されて、コイルボビン１０３Ａ，１０３Ｂに対して摺動自在に装着されている。そして、可動片１０５は、通常はヨーク１０１の一対の第１脚部１０１Ａ，１０１Ｂの先端に生じるＮ，Ｓ極に可動片１０５の一対の第２脚部１０５Ａ，１０５Ｂが吸着されて保持されている。尚、可動片１０５の取付用穴１０５Ｄには、図示しないレバーのピンが挿入され、このレバーを介してバネ力Ｆ１が可動片１０５に常時加えられるようになっている。
【０００５】
このため、コイル１０４Ａ，１０４Ｂに通電されていない時には、永久磁石１０２による吸着力Ｆ２でバネ力Ｆ１に抗して吸着片１０５をヨーク１０１に吸着している。そして、永久磁石１０２の磁束と逆方向に磁界が発生するようにコイル１０４Ａ，１０４Ｂに電流を流すと、吸着片１０５がバネ力Ｆ１によってヨーク１０１から分離され、この分離される時の吸着片１０５の動きで必要な動作を生じさせるようになっている。
【０００６】
尚、この種の自己保持型のプランジャの構造としては、図１２に示す以外にも、例えば特許文献１でも見ることができる。
【特許文献１】実公平５−４７４５０号公報
【発明の開示】
【発明が解決しようとする課題】
【０００７】
しかしながら、従来のプランジャの構造では、コイルボビン１０３Ａ，１０３Ｂに対してヨーク１０１を接着剤により固定するようにしている。このため、接着剤が固まるまで
の間、次の作業を待たなくてはならないので作業性が悪く、組立作業時間の短縮もできない。又、接着剤を使用するので、作業室が汚れたり、或いは接着剤の臭い等で作業環境を悪くしている問題があった。又、接着剤が硬化する前にボビンに外力が加わった場合、姿勢を崩したままヨークに固定されてしまい、可動片の動作に影響を与える問題があった。
【０００８】
そこで、接着剤を使用することなくヨークとコイルボビンとが簡単に組み立てられるようにして、作業性並びに作業環境を向上させるために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、中心に前後に貫通しているボビン穴を有して筒状に形成されていると共に、前記ボビン穴内に該ボビン穴の中心に向かって突出している突起を有し、且つ、外周にコイルが各々巻回されている一対のコイルボビンと、前記突起を有した一端側から前記ボビン穴内にそれぞれ所定の位置まで挿入されて、該所定の位置で前記突起と係合して前記コイルボビンに対して抜け止めされている係止部を少なくとも一方に有する一対の第１脚部を設けた略コ字型のヨークと、前記ヨークの一対の第１脚部の先端にＮ，Ｓ極を発生させている永久磁石と、前記一対のコイルボビンの前記ボビン穴に他端側からそれぞれ第１脚部と当接するまで摺動自在に挿入されている一対の第２脚部を有した略コ字型の可動片とを備えたプランジャを提供する。
【００１０】
この構成によれば、ヨークをコイルボビンの一端側から該ボビン穴内に所定の位置まで挿入させると、該ボビン穴内で第１脚部の係止部がコイルボビンの突起に係合される。従って、ヨーク側の位置決め部とコイルボビンの一端との当接による係合で、ヨークがコイルボビンに対して抜け止め規制され、この抜け止め規制でヨークがコイルボビンに取り付けられる。
【００１１】
請求項２記載の発明は、上記一対のコイルボビンは、弾力性を有する樹脂材で一体に型成形されているプランジャを提供する。
【００１２】
この構成によれば、一対のコイルボビンは弾力性を有する樹脂材で一体に成形され、ヨークの第1脚部の係止部をコイルボビンに挿入する際、ボビン穴が広がるので円滑に挿入することができる。
【００１３】
請求項３記載の発明は、上記一対のコイルボビン間の連結部分は、互いに揺動可能に肉薄状に形成されているプランジャを提供する。
【００１４】
この構成によれば、一対のコイルボビン間の連結部分が肉薄部で形成されているので、この肉薄の部分を支点として一対のコイルボビン間が自由に揺動可能になる。従って、例えば、各コイルボビンにコイルを巻回するようなとき、各コイルボビンをそれぞれコイルの巻き易い姿勢に揺動させて巻回作業を行うことができる。
【００１５】
請求項４記載の発明は、上記ヨークは、上記所定の位置まで挿入されると、上記コイルボビンの一端側と当接されて位置決めされる位置決め部を有しているプランジャを提供する。
【００１６】
この構成によれば、ヨークが所定の位置まで挿入されると、コイルボビンの一端側に位置決め部が当接され、それ以上の挿入ができなくなる。従って、コイルボビンに挿入されたヨークは、ヨーク側の位置決め部とコイルボビンの一端との当接、及び、係止部とコイルボビンの突起との当接により、ヨークがコイルボビンに対して前後方向に移動するのが規制され、この規制でヨークがコイルボビンの所定の位置に取り付けられる。
【００１７】
請求項５記載の発明は、上記コイルボビンは、前後両端側にそれぞれ外方に向かって突出された鍔部を有し、一端側の鍔部に上記突起を設けたプランジャを提供する。
【００１８】
この構成によれば、前後両端の鍔部を使用してコイルを巻回すると共に、該鍔部をヨークの位置決め部と当接させる部分として使用することができる。
【００１９】
請求項６記載の発明は、上記ヨークは、上記一対の脚部にそれぞれ設けた上記係止部を、前記一対の脚部の相対向している内側面に有するプランジャを提供する。
【００２０】
この構成によれば、一対の脚部の内側に係止部を設けたヨークを有するプランジャが得られる。
【００２１】
請求項７記載の発明は、上記ヨークは、上記一対の脚部にそれぞれ設けた上記係止部を前記一対の脚部の相対抗している外側面に有するプランジャを提供する。
【００２２】
この構成によれば、一対の脚部の外側面に外側方向に突出している係止部を設けたヨークを有するプランジャが得られる。
【００２３】
請求項８記載の発明は、上記ヨークは、上記一対の脚部にそれぞれ設けた上記係止部を前記一対の脚部の同一方向を向いた一外側面に有するプランジャを提供する。
【００２４】
この構成によれば、一対の脚部の一外側面に、互いに外側同方向に突出している係止部を設けたヨークを有するプランジャが得られる。
【発明の効果】
【００２５】
請求項１記載の本発明は、ヨークをコイルボビンの一端側から該ボビン穴内に挿入させるだけで、接着剤を使用することなく、ヨークをコイルボビンに簡単に組み付けることができる。これにより、作業時間の短縮も可能で、作業性が向上する。又、接着剤を使用しないことによって、作業室内の汚れの防止や、接着剤臭等の発生を無くして作業環境を改善することができるという利点がある。また、ボビンがヨークに接着固定されていないため、可動片が斜め方向に摺動した場合ボビンも同方向に傾くことができ、可動片にボビンの摺動面との摩擦等のストレスを与えることなく可動片を円滑に動作させることができる。
【００２６】
請求項２記載の発明は、コイルボビンを樹脂成形法を用いて簡単に作ることができるので、請求項１記載の発明の効果に加えて、更に、ヨークの第1脚部の係止部をコイルボビンに挿入する際、ボビン穴が広がるので円滑に挿入することができる等の作業性を向上させることができる。
【００２７】
請求項３記載の発明は、各コイルボビンをコイルの巻き易い姿勢位置に揺動させて巻回作業を行うことができるので、請求項１又は２記載の発明の効果に加えて更に作業性を向上させることができる。
【００２８】
請求項４記載の発明は、位置決め部がコイルボビンの一端側と当接されて位置決めされるまでヨークをコイルボビンに差し込めば、該ヨークをコイルボビンの所定の位置に取り付けることができるので、請求項３記載の発明の効果に加えて、更に作業性を向上させることができる。
【００２９】
請求項５記載の発明は、前後両端の鍔部を使用してコイルを巻回すると共に、該鍔部をヨークの位置決め部と当接させる部分として使用することができるので、請求項１，２，３，４又は５記載の発明の効果に加えて、更に作業性を向上させることができる。
【００３０】
請求項６記載の発明は、一対の脚部の内側に係止部を設けたヨークを使用するので、請求項１，２，３，４又は５記載の発明の効果に加えて、小型化が可能になる。
【００３１】
請求項７記載の発明は、一対の脚部の外側面に外側方向に突出している係止部を設けることによって加工が簡単で、且つ、安価に得ることができるヨークを使用するので、請求項１，２，３，４又は５記載の発明の効果に加えて、安価なプランジャが得られる。
【００３２】
請求項８記載の発明は、一対の脚部の一外側面に、互いに外側同方向に突出している係止部を設けることによって加工が簡単で、且つ、安価に得ることができるヨークを使用するので、請求項１，２，３，４又は５記載の発明の効果に加えて、安価なプランジャが得られる。
【発明を実施するための最良の形態】
【００３３】
以下、本発明に係るプランジャについて、好適な実施例をあげて説明する。接着剤を使用することなくヨークとボビンとが簡単に組み立てられるようにして、作業性並びに作業環境を向上させるという目的を、ヨークの第１脚部の位置決め部がコイルボビンの一端側と当接するまで、コイルボビンの一端側からヨークをボビン穴内に挿入させると、該ボビン穴内で第１脚部の係止部がコイルボビンの突起と係合して抜け止められ、ヨークをコイルボビンの所定の位置に取り付けることができるプランジャの構造にして実現した。
【００３４】
（第１の実施の形態）
図１乃至図７は本発明の第１の実施の形態であるプランジャを示す。図１乃至図７に於いて、プランジャ１０は自己保持型の電磁石装置であり、ヨーク１１と、外周にコイル１２，１２が巻回されているコイルボビン体１３と、永久磁石１４と、可動片１５等で構成されている。
【００３５】
ヨーク１１は、鉄等の磁性材料で作られ、一対の第１脚部１１Ａ，１１Ｂと、この一対の第１脚部１１Ａ，１１Ｂの基端側を連結している連結部１１Ｃとを一体に有して、概略コの字状に形成されている。又、連結部１１Ｃの隣で、且つ、第１脚部１１Ａ，１１Ｂとの隙間によって作られているスリット１６内には、細長く形成された永久磁石１４が装着されている。このため、この永久磁石１４によりヨーク１１が常時磁化され、一対の第１脚部１１Ａ，１１Ｂの先端にＮ，Ｓ極が生じた状態になっている。更に、各第１脚部１１Ａ，１１Ｂには、スリット１６の前側終端部分に位置決め部１７を形成している段部を設け、該位置決め部１７よりも先端側の内面に係止部１８としての段部を設けている。又、連結部１１Ｃには、該ヨーク１１を機器等にネジ等により取り付け固定するための取付穴１９が形成されている。
【００３６】
コイルボビン体１３は、それぞれ筒状に形成された一対のコイルボビン１３Ａ，１３Ｂを設けて、弾性力を有する例えば液晶ポリマー等の樹脂材で一体に型成形され、全体として弾力性が持たされている。各コイルボビン１３Ａ，１３Ｂは左右対称な同一形状を成している。その各コイルボビン１３Ａ，１３Ｂは、コイル１２が巻回される本体部１３ａと、該本体部１３ａの両端にそれぞれ設けられた鍔部１３ｂ，１３ｃとを有し、中央にはヨーク１１の第１脚部１１Ａ，１１Ｂが嵌合挿入されるボビン穴２０が前後に貫通して設けられている。又、一端側の鍔部１３ｂ，１３ｂ側には肉厚部分１３ｄが設けられている。この肉厚部分１３ｄには、本体部１３ａの外周に巻回されたコイル１２の端部の処理及び接続用の配線の半田付け用として用いられる一対の端子ピン２２が、側方にそれぞれ突き出すように植設されている。
【００３７】
尚、各コイルボビン１３Ａ，１３Ｂの一端側の鍔部１３ｂ，１３ｂは互いに離れているが、他端側の鍔部１３ｃ，１３ｃとの間は互いに繋がり、この繋がりによって各コイルボビン１３Ａ，１３Ｂが一体化された状態になっている。又、その繋がり合っている鍔部１３ｃ，１３ｃとの間は肉薄状の部分２１が形成されている。その肉薄状の部分２１は、ヒンジとして使用することができ、各コイルボビン１３Ａ，１３Ｂが互いに屈曲し、揺動するのを可能にしている。従って、この屈曲は、各コイルボビン１３Ａ，１３Ｂの本体部１３ａにコイル１２を巻回するとき、各コイルボビン１３Ａ，１３Ｂをコイル１２の巻易い姿勢に揺動させて変更することができる。
【００３８】
更に、各コイルボビン１３Ａ，１３Ｂのボビン穴２０は、ヨーク１１の第１の脚部１１Ａ，１１Ｂの断面形状と同じ四角形状をした角穴として作られており、このボビン穴２０内に第１の脚部１１Ａ，１１Ｂが圧入できる構造になっている。又、ボビン穴２０の内面（実際には、一端側の鍔部１３ｂ，１３ｂと対応している内面）で、且つ、第１脚部１１Ａ，１１Ｂの位置決め部１７を設けている側面と対応している内面には、突起１３ｅが該コイルボビン１３Ａ，１３Ｂと一体で、且つ、該ボビン穴２０の中心に向かって突出した状態にして形成されている。
【００３９】
可動片１５は、鉄等の磁性材料で作られ、一対の第２脚部１５Ａ，１５Ｂと、この一対の第２脚部１５Ａ，１５Ｂの基端側を連結している連結部１５Ｃとを一体に有して概略コの字状に形成されている。その第２の脚部１５Ａ，１５Ｂの断面形状は、コイルボビン１３Ａ，１３Ｂのボビン穴２０の断面形状と略同じ四角形状で、且つ、ボビン穴２０内で摺動できる大きさになっている。又、連結部１５Ｃには、図示しないレバーのピンが挿入される取付用穴２３が形成されている。
【００４０】
次に、このように構成されたプランジャ１０の組立手順の一例を説明する。まず、各コイルボビン１３Ａ，１３Ｂの本体部１３ａ，１３ａの外周部分にそれぞれコイル１２を巻回し、且つ、端部をそれぞれ端子ピン２２に接続処理したボビン体１３と、スリット１６に永久磁石１４を挟持させたヨーク１１とを用意する。続いて、該ヨーク１１の第１脚部１１Ａ，１１Ｂを、各コイルボビン１３Ａ，１３Ｂのボビン穴２０に、それぞれ一端側の鍔部１３ｂ，１３ｂ側から挿入させる。又、その挿入時には、ボビン穴２０内に突出している突起１３ｅが第１脚部１１Ａ，１１Ｂの先端に当接するが、更に強く押し込むと、各コイルボビン１３Ａ，１３Ｂは第１脚部１１Ａ，１１Ｂに押されて外側に弾性変形し、この変形でボビン穴２０が拡がり、第１脚部１１Ａ，１１Ｂをボビン穴２０内に挿入することができる。
【００４１】
更に挿入が続くと、今度は係止部１８が突起１３ｅに当接し、これもボビン２０を拡げながら挿入することができる。コイルボビン１３Ａ，１３Ｂの一端側の鍔部１３ｂ，１３ｂに位置決め部１７が当接される直前まで第１脚部１１Ａ，１１Ｂが挿入されると、突起１３ｅが係止部部１８上から外れた第１脚部１１Ａ，１１Ｂ上に落ち込んで、該第１脚部１１Ａ，１１Ｂ上に当接される。又、この状態になると、突起１３ｅを挟んだ両側にそれぞれ係止部１８と位置決め部１７が配置された状態になり、ヨーク１１側の位置決め部１７とコイルボビン１３Ａ，１３Ｂの一端との当接、及び、ヨーク１１側の係止部１８とコイルボビン１３Ａ，１３Ｂ側の突起１３ｅとの当接による抜け止め係合により、ヨーク１１がコイルボビン１３Ａ，１３Ｂに対して前後方向に移動するのが規制され、この規制でヨーク１１がコイルボビン１３Ａ，１３Ｂに固定取り付けされる。この固定取付状態では、図１及び図２に示しているように、第１脚部１１Ａ，１１Ｂがボビン穴２０内の中間位置まで突出している。
【００４２】
続いて、可動片１５の第２の脚部１５Ａ，１５Ｂを他端側の鍔部１３ｃ，１３ｃ側からそれぞれコイルボビン１３Ａ，１３Ｂのボビン穴２０に挿入させる。そして、各第２の脚部１５Ａ，１５Ｂがヨーク１１の第１の脚部１１Ａ，１１Ｂの先端に当接すると、可動片１５がヨーク１１の一対の第１脚部１１Ａ，１１Ｂの先端に生じているＮ，Ｓ極に吸着保持され、組み立てが完了する。図１乃至図４は、この組み立て後の状態を示す。
【００４３】
このように構成されたプランジャ１０は、コイル１２，１２に通電されていない時、永久磁石１４による吸着力Ｆ２で、ヨーク１１がバネ力Ｆ１に抗して可動片１５を吸着している。又、永久磁石１４の磁束と逆方向に磁界が発生するようにコイル１２，１２に電流を流すと、可動片１５がバネ力Ｆ１によってヨーク１１から分離され、この分離される時の可動片１５の動きで必要な動作を生じさせる。
【００４４】
従って、このように構成されたプランジャ１０では、ヨーク１１の第１脚部１１Ａ，１１Ｂの位置決め部１７がコイルボビン１３Ａ，１３Ｂの一端側の鍔部１３ｂ，１３ｂと当接する所定の位置まで、ヨーク１１をコイルボビン１３Ａ，１３Ｂの一端側から該ボビン穴２０内に挿入させると、該ボビン穴２０内で第１脚部１１Ａ，１１Ｂの係止部１８がコイルボビン１３Ａ，１３Ｂの突起１３ｅと係合され、ヨーク１１のコイルボビン１３Ａ，１３Ｂに対する前後方向の移動が規制される。そして、この規制でヨーク１１をコイルボビン１３Ａ，１３Ｂに取り付けることができるので、組立時に従来使用していた接着剤が不要になり、作業性及び作業環境を向上させることができる。又、コイルボビン体１３はヨーク１１に接着固定されていないため、可動片１５が斜め方向に摺動した場合ボビンも同方向に傾くことができ、可動片１１にコイルボビン体１３の摺動面との摩擦等のストレスを与えることなく可動片を円滑に動作させることができる。
【００４５】
（変形例１）
図８及び図９は、プランジャ１０の第１変形例を示すものである。この第１変形では、ヨーク１１の第１の脚部１１Ａ，１１Ｂの同一方向を向いた側面にそれぞれ係止部１８を形成している凹所２５，２５を設けたものであり、他の構成は図１乃至図４と同一であるから、同じ部材には同じ符号を付して重複した説明は省略する。このプランジャ１０の構造では、第１脚部１１Ａ，１１Ｂがボビン穴２０内に嵌合圧入され、圧入後は、係止部１８と突起１３ｅとが係合されて抜け止めされる構造になっている。従って、この第１変形例の構造では、ヨーク１１の外側の側面に凹所２５を形成しているようにしているので、ヨーク１１の加工が簡単になり、プランジャ１０を安価に提供することができる。
【００４６】
図１０及び図１１は、プランジャ１０の第２変形例を示すものである。この第１変形では、ヨーク１１の上下側面に係止部１８を形成している隆起部２６を設けたものであり、他の構成は図１乃至図４と同一であるから、同じ部材には同じ符号を付して重複した説明は省略する。この構造では、第１脚部１１Ａ，１１Ｂがボビン穴２０内に嵌合圧入され、圧入後は、係止部１８と突起１３ｅとが係合されて抜け止めされる。又、ヨーク１１以外の他の構造は、上記実施の形態の構造と同じである。従って、この第１変形例の構造では、ヨーク１１の上下側面に隆起部２６を設けて係止部を形成した構造にしているので、ヨーク１１の加工が簡単になり、プランジャ１０を安価に提供することができる。
【００４７】
尚、上記実施の形態及び変形例の構造では、コイルボビン１３Ａ，１３Ｂの一端側の位置決め部に鍔部１３ｂ，１３ｂを設けた構造にしているが、鍔部１３ｂ，１３ｂは必ずしも設けなくても良いものである。又、突起１３ｅをコイルボビン１３Ａ，１３Ｂの両方に設けた構造にしているが、片側のコイルボビンにだけ設けた構造にしても良いものである。
【００４８】
又、本発明は、本発明の精神を逸脱しない限り種々の改変を為すことができ、そして、本発明が該改変されたものに及ぶことは当然である。
【図面の簡単な説明】
【００４９】
【図１】本発明の一実施の形態を示し、上側半分に於ける一部を破断して示すプランジャの側面図。
【図２】本発明に係るプランジャの上面図。
【図３】本発明に係るプランジャの左側面図。
【図４】本発明に係るプランジャの右側面図。
【図５】本発明に係るプランジャの要部分解図。
【図６】本発明に係るプランジャの部分拡大断面図。
【図７】本発明に係るプランジャに於けるヨークの斜視図。
【図８】本発明の第１変形例を示し、一部を破断して示すプランジャの上面図。
【図９】本発明の第１変形例に於けるヨークの斜視図。
【図１０】本発明の第２変形例を示し、下側半分に於ける一部を破断して示すプランジャの側面図。
【図１１】本発明の第２変形例に於けるヨークの斜視図。
【図１２】従来例の構造を示し、下側半分に於ける一部を破断して示すプランジャの側面図。
【図１３】従来プランジャに於けるヨークの斜視図。
【符号の説明】
【００５０】
１０    プランジャ
１１    ヨーク
１１Ａ  第１脚部
１１Ｂ  第２脚部
１１Ｃ  連結部
１２    コイル
１３    ボビン体
１３Ａ  コイルボビン
１３Ｂ  コイルボビン
１３ａ  本体部
１３ｂ  鍔部
１３ｃ  鍔部
１３ｄ  肉厚部分
１３ｅ  突起
１４    永久磁石
１５    吸着片
１５Ａ  第２脚部
１５Ｂ  第２脚部
１５Ｃ  連結部
１６    スリット
１７    位置決め部
１８    係止部
１９    取付穴
２０    ボビン穴
２１    肉薄状の部分
２２    端子ピン
２３    取付用穴
２５    凹所
２６    隆起部
【図１】
2006066766.tif 000003
【図２】
2006066766.tif 000004
【図３】
2006066766.tif 000005
【図４】
2006066766.tif 000006
【図５】
2006066766.tif 000007
【図６】
2006066766.tif 000008
【図７】
2006066766.tif 000009
【図８】
2006066766.tif 000010
【図９】
2006066766.tif 000011
【図１０】
2006066766.tif 000012
【図１１】
2006066766.tif 000013
【図１２】
2006066766.tif 000014
【図１３】
2006066766.tif 000015